(57)【特許請求の範囲】
【請求項１】
第１穀粒乾燥施設には、穀粒を計量する第１荷受計量装置９と、該第１荷受計量装置９から受ける第１サンプル粒の移送方向を切換える切換弁装置１１と、該切換弁装置１１の切換作動によって該切換弁装置１１を経た前記第１サンプル粒に混入する塵埃等を分離選別する第１サイクロン１２と、該第１サイクロンで選別済みの第１サンプル粒を受けて乾燥、籾摺して精粒と粃粒とに選別して該精粒の混入歩合等を算出する検査及び該歩合等を印字する自主検査装置１５とを備え、前記第１乾燥施設とは別に設置される第２穀粒乾燥施設には、穀粒を計量する第２荷受計量装置１０と、該第２荷受計量装置１０から第２サンプル粒を受けて混入する塵埃等を分離選別する第２サイクロン１３とを備え、該第２サイクロン１３で選別済みの第２サンプル粒は待機装置１４で貯留して待機させる構成とし、前記第１サンプル粒の検査終了に伴い前記切換弁装置１１の切換作動によって前記待機装置１４で待機している第２サンプル粒を該切換弁装置１１及び該第１サイクロン１２を経て前記自主検査装置１５で精粒の混入歩合等を検査する構成とするものであって、
前記待機装置１４は、移送螺旋２７を内装した移送装置２８と、該移送装置２７の終端部下側設ける流下漏斗と、該流下漏斗２９の下端部に設ける開閉弁３０とを設け、前記待機装置１４へ移送供給される選別された第２サンプルの穀粒は、移送螺旋２７で搬送されて前記流下漏斗２９内へ貯留して待機させる構成とすると共に、待機装置１４は複数台設置したことを特徴とする穀粒乾燥施設のサンプル粒移送装置。
【発明の詳細な説明】
【０００１】
【発明の属する技術分野】
この発明は、２箇所の穀粒乾燥施設で荷受して計量した穀粒の内の第１サンプル粒と、第２サンプル粒とを自主検出装置へ切換えて移送するサンプル粒移送装置に関する。
【０００２】
【従来の技術】
従来は、第１穀粒乾燥施設へ生産者が持込みして入荷した穀粒は、この第１乾燥施設の第１荷受計量装置で計量され、計量された穀粒の一部を第１サンプル粒として取り、このサンプル粒は、第１サイクロンへ供給され、穀粒と塵埃（藁屑含む）とに分離選別され、塵埃は施設の屋外へ排出され、第１サンプルの穀粒は第１自主検査装置へ供給され、この第１自主検査装置で乾燥、及び籾摺され、精粒と粃粒とに選別されて、精粒と粃粒との混合歩合等が算出される自主検査が行なわれ、その後に混合歩合の印字、及び精米と粃粒とを個別にパック詰め等が行なわれる。
【０００３】
又、第２穀粒乾燥施設へ生産者が持込みして入荷した穀粒は、この第２乾燥施設の第２荷受計量装置で計量され、計量された穀粒の一部を第２サンプル粒として取り、この第２サンプル粒は、第２サイロンへ供給され、穀粒と塵埃（藁屑含む）とに分離選別され、塵埃は施設の屋外へ排出され、第２サンプルの穀粒は、第２自主検査装置へ供給され、この第２自主検査装置でこの第２サンプルの穀粒は、第１サンプルの穀粒と同じように混合歩合等の自主検査、及びパック詰め等が行なわれる。
【０００４】
上記で算出される各精粒の混合歩合によって、例えば入荷した各穀粒量に対して支払される金額の清算が行なわれる。
【０００５】
【発明が解決しようとする課題】
例えば、第１乾燥施設の横側に第２乾燥施設が増設されたときであると、自主検査装置が上記の如く、別々に設置されることにより、コスト高になっていたが、これを１台の自主検査装置で２箇所の乾燥施設を検査できるようにして、コスト低減を図ろうとするものである。
【０００６】
【課題を解決するための手段】
このために、この発明は、第１穀粒乾燥施設には、穀粒を計量する第１荷受計量装置９と、該第１荷受計量装置９から受ける第１サンプル粒の移送方向を切換える切換弁装置１１と、該切換弁装置１１の切換作動によって該切換弁装置１１を経た前記第１サンプル粒に混入する塵埃等を分離選別する第１サイクロン１２と、該第１サイクロンで選別済みの第１サンプル粒を受けて乾燥、籾摺して精粒と粃粒とに選別して該精粒の混入歩合等を算出する検査及び該歩合等を印字する自主検査装置１５とを備え、前記第１乾燥施設とは別に設置される第２穀粒乾燥施設には、穀粒を計量する第２荷受計量装置１０と、該第２荷受計量装置１０から第２サンプル粒を受けて混入する塵埃等を分離選別する第２サイクロン１３とを備え、該第２サイクロン１３で選別済みの第２サンプル粒は待機装置１４で貯留して待機させる構成とし、前記第１サンプル粒の検査終了に伴い前記切換弁装置１１の切換作動によって前記待機装置１４で待機している第２サンプル粒を該切換弁装置１１及び該第１サイクロン１２を経て前記自主検査装置１５で精粒の混入歩合等を検査する構成とするものであって、
前記待機装置１４は、移送螺旋２７を内装した移送装置２８と、該移送装置２７の終端部下側設ける流下漏斗と、該流下漏斗２９の下端部に設ける開閉弁３０とを設け、前記待機装置１４へ移送供給される選別された第２サンプルの穀粒は、移送螺旋２７で搬送されて前記流下漏斗２９内へ貯留して待機させる構成とすると共に、待機装置１４は複数台設置したことを特徴とする穀粒乾燥施設のサンプル粒移送装置とする。
【０００７】
【発明の作用】
第１穀粒乾燥施設へ生産者が持込みして入荷した穀粒は、この第１乾燥施設の第１荷受計量装置９で計量され、計量された穀粒の一部を第１サンプル粒として取り、この第１サンプル粒は、切換弁装置１１の切換作動により、この切換弁装置１１を経て第１サイクロン１２へ供給され、穀粒と塵埃（藁屑含む）とに分離選別され、塵埃は施設の屋外へ排出され、第１サンプルの穀粒は、自主検査装置１５へ供給され、この自主検査装置１５で乾燥、及び籾摺され、精粒と粃粒とに選別されて、精粒と粃粒との混合歩合等が算出される自主検査が行なわれ、その後にこの混合歩合等の印字、及び後処理工程等が行なわれる。
【０００８】
又、上記の如く、自主検査装置１５で自主検査中に、第２穀粒乾燥施設へ生産者が穀粒を持込みすると、この持込みされた穀粒は、第２荷受計量装置１０で計量され、計量された穀粒の一部を第２サンプル粒として取り、この第２サンプル粒は、第２サイクロン１３へ供給され、穀粒と塵埃（藁屑含む）とに分離選別され、塵埃は施設の屋外へ排出され、第２サンプルの穀粒は、待機装置１４内へ供給されて移送螺旋２７で移送装置２８内を搬送されて流下漏斗２９に貯留されて待機される。この待機中に、第１乾燥施設で荷受して該自主検査装置１５で第１サンプル粒の自主検査が終了すると、該待機装置１４の流下漏斗２９で待機中の第２サンプルの穀粒は、切換弁装置１１の切換作動により、開閉弁３０が開き流下漏斗２９から切換弁装置１１を経て第１サイクロン１２へ供給され、この第１サイクロン１２から該自主検査装置１５へ供給され、この自主検査装置１５で第２サンプルの穀粒は、第１サンプルの穀粒と同じように混合歩合等の自主検査、その後にこの混合歩合等の印字、及び後処理工程等が行なわれる。
【０００９】
又、前記待機装置１４を複数台設置することにより、入荷した穀粒をより多く待機させて、この待機した穀粒を順次混合歩合等の自主検査、及び混合歩合の印字等を行なうこともできる。上記で算出される各精粒の混合歩合によって、例えば、入荷した各穀粒量に対して支払われる金額の清算が行なわれる。
【００１０】
【発明の効果】
第２乾燥施設の第２サイクロン１３で選別済みの第２サンプル粒は待機装置１４で貯留して待機させる構成とし、第１サンプル粒の検査終了に伴い切換弁装置１１の切換作動によって待機装置１４で待機している第２サンプル粒を切換弁装置１１及び第１サイクロン１２を経て自主検査装置１５で精粒の混入歩合等を検査する構成とするものであって、
待機装置１４は、移送螺旋２７を内装した移送装置２８と、移送装置２７の終端部下側設ける流下漏斗と、流下漏斗２９の下端部に設ける開閉弁３０とを設け、待機装置１４へ移送供給される選別された第２サンプルの穀粒は、移送螺旋２７で搬送されて流下漏斗２９内へ貯留して待機させる構成とすると共に、待機装置１４は複数台設置したことで、
第２穀粒乾燥施設が増設されたときであっても、穀粒を貯留して待機させる待機装置１４を設けることにより、高価である自主検査装置１５を２台設置する必要がなくなり、このために、大幅なコスト低減を図ることができる。又、前記待機装置１４を複数台設置することにより、入荷した穀粒をより多く待機させて、この待機した穀粒を順次混合歩合等の自主検査、及び混合歩合の印字等を行なうこともできる。
【００１１】
【実施例】
以下、本発明の一実施例を図面に基づいて説明する。図例は、穀粒（生籾）を荷受けし、通風によって乾燥する第１穀粒乾燥施設１、及び第２穀粒乾燥施設２に関する図である。前段に配設する第１荷受ホッパー３、第２荷受ホッパー４、第１荷受穀粒移送装置５、第２荷受穀粒移送装置６、第１荷受昇穀機７、第２荷受昇穀機８、第１粗選機１９、第２粗選機２０、第１荷受計量装置９、第２荷受計量装置１０、穀粒の移送方向を切換する切換弁装置１１、第１サイクロン１２、第２サイクロン１３、待機装置１４、自主検査装置１５、中継に配設する中継昇穀機３４，３４以外の循環を兼用する昇穀機、この昇穀機に装着された水分センサ、供給コンベア、供給用移動コンベア、貯留ビン、排出コンベア等は図示せず、又後段に配設する籾摺用プラント３５，３５以外の出荷計量機、自動計量梱包装置、精米機等は図示しない該第１，第２穀粒乾燥施設１，２を示す図である。
【００１２】
２人の生産者が穀粒を持込み入荷したときには、前記第１，第２荷受ホッパー３，４へ生産者が持込み入荷した穀粒は、各々別々に投入される構成であり、供給口部は、地上より突出しない状態にして、複数個設けた構成であり、これら各荷受ホッパー３，４下側には投入された穀粒を受けて移送する第１，第２荷受穀粒移送装置５，６を設け、これら第１，第２荷受穀粒移送装置５，６は、左右両側端に回転自在に軸支して設けたプーリ１６，１６には、移送ベルト１７を掛け渡した構成であり、この各移送ベルト１７の移送方向終端部には、バケットコンベア１８ベルトを内装した第１，第２荷受昇穀機７，８を配設した構成としている。
【００１３】
前記第１，第２荷受昇穀機７，８の各バケットコンベア１８，１８で上部移送される穀粒は、各々別々に粗選別する第１，第２粗選機１９，２０へ供給されて粗選別され、粗選別済み穀粒は、各切換バルブ２０，２１を経て第１，第２荷受計量装置９，１０へ各々別々に供給されて計量される構成である。前記第１荷受計量装置９で計量された計量済み穀粒は、中段工程、及び後段工程作業の乾燥、及び籾摺作業等が行なわれる。又穀粒の一部を第１サンプル粒として取り出され、この取り出しされた第１サンプル粒は、エアー等により移送される構成であり、この第１サンプル粒は、移送方向を自動切換される切換バルブ２２を内装した切換弁装置１１のこの切換バルブ２２の自動切換作動が制御されることにより、この切換弁装置１１を経て第１サイクロン１２へ移送供給される構成としている。
【００１４】
前記第１サイクロン１２は、吸引ファン２３の回転駆動により、この第１サイクロン１２内へ移送供給される第１サンプル粒は、穀粒と塵埃（藁屑含む）とに分離選別される構成であり、この第１サイクロン１２下部には、分離選別された第１サンプルの穀粒は回転駆動を制御することにより、繰出しする繰出バルブ２４を設けた構成であり、該吸引ファン２３により、、吸引された塵埃は、第１施設１の屋外へ排出される構成であり、選別された第１サンプルの穀粒は、この第１サイクロン１２から自主検査装置１５内へ移送供給される構成としている。
【００１５】
前記自主検査装置１５は、施設内の自主検査室３１内に設け、該自主検査装置１５へ移送供給された分離選別済み第１サンプルの穀粒は、乾燥するドライヤーで乾燥され、籾摺機で籾摺され、精粒と粃粒とに選別機で選別され、選別された精粒と粃粒とは、各々計量機で計量され、この計量された精粒と粃粒との混合歩合等が制御装置で算出される自主検査が行なわれ、その後この混合歩合、及び生産者コード等が印刷機で印字され、精粒と粃粒とは、個別にパック機でパックされ、これらの各機械（図示せず）を内装した構成であり、第１サンプルの穀粒の混合歩合等の自主検査、及びパック詰め等が行なわれる構成としている。
【００１６】
前記自主検査装置１５で第１サンプル粒が自主検査中のときには、第２荷受計量装置１０で計量された計量済み穀粒は、中段工程、及び後段工程作業の乾燥、及び籾摺作業等が行なわれる。又穀粒の一部を第２サンプル粒として取り出しされ、この取り出しされた第２サンプル粒は、エアー等により移送される構成であり、この第２サンプル粒は、第２サイクロン１３へ移送供給される構成としている。
【００１７】
前記第２サイクロン１３は、吸引ファン２５の回転駆動により、この第２サイクロン１３内へ移送供給される第２サンプル粒は、穀粒と塵埃（藁屑含む）とに分離選別させる構成であり、この第２サイクロン１３下部には、分離選別された第２サンプルの穀粒は、回転駆動を制御することにより、繰出しする繰出バルブ２６を設けた構成であり、該吸引ファン２５により、吸引された塵埃は、第１施設１の屋外へ排出される構成であり、選別された第２サンプルの穀粒は、この第２サイクロン１３から待機装置１４へ移送供給される構成としている。
【００１８】
前記待機装置１４は、移送螺旋２７を内装した移送装置２８終端部下側に流下漏斗２９を設け、この流下漏斗２９の下端部には、回動自在に開閉弁３０を設け、この待機装置１４へ移送供給される選別された第２サンプルの穀粒は、この流下漏斗２９内へ貯留して待機される構成であり、自主検査装置１５で第１サンプル粒の自主検査が終了するとこの終了に伴い、この開閉弁３０は開状態に制御されると共に、第２サンプルの穀粒は、切換弁装置１１の切換バルブ２２の自動切換作動が制御されることにより、この切換弁装置１１を経て第１サイクロン１２へ移送供給される構成としている。なお、該待機装置１４を複数台設置して、入荷した穀粒をより多く待機できるようにして、この待機した穀粒を順次混合歩合、及びパック詰め等を行なう構成とするもよい。
【００１９】
前記第１サイクロン１２内へ移送供給される分離選別済み第２サンプルの穀粒は、この第１サイクロン１２から自主検査装置１５へ移送供給される構成であり、この自主検査装置１５へ移送された、選別済み第２サンプルの穀粒は、第１サンプルの穀粒と同じように混合歩合等の自主検査、及びパック詰め等が行なわれる構成としている。
【００２０】
第１，第２サンプル粒は、上記の如く、処理が行なわれて、各生産者より入荷した各穀粒の精粒歩合が算出され、この算出された歩合によって、例えば、入荷した各穀粒量に対して支払される金額の精算ができる構成としている。又、第１，第２サンプル粒以外の穀粒は、前記の如く、順次後工程機械により、後工程処理の乾燥、及び籾摺等が行なわれて出荷される構成としている。
【００２１】
前記制御装置は、施設のオペレータが常駐している操作室３２内に設置した操作装置３３内に設け、この制御装置で各施設１，２内の各機械、及び装置等を始動、停止、及び切換等の制御が行なわれる構成としている。
【図面の簡単な説明】
【図１】 穀粒乾燥施設の要部の拡大正面図。
【図２】 穀粒乾燥施設の一部の平面図。
【符号の説明】
９ 第１荷受計量装置
１０ 第２荷受計量装置
１１ 切換弁装置
１２ 第１サイクロン
１３ 第２サイクロン
１４ 待機装置
１５ 自主検査装置
【図１】
0003829365.tif 000002
【図２】
0003829365.tif 000003